(57)【要約】【課題】パネル前面で観測される反射輝度を低減させる。【解決手段】背面基板１２１と、背面基板に対向配置される前面基板１１１と、前面基板と背面基板との間に配置されて複数の放電セルを区画する隔壁１３０と、前面基板の背面基板側の面に相互に離隔されて一方向に延長配置される維持電極対１１２と、背面基板の前面基板側の面に維持電極対と交差するように配置されるアドレス電極１２２と、傾斜面１９１をその側部に有する複数のグルーブ１９０が維持電極対が延長される方向に形成されて、傾斜面１９１が前面基板に投影される位置に維持電極対の一端１９２が位置するように、維持電極対を覆って配置される前面誘電体層１１５と、アドレス電極を覆う背面誘電体層１２５と、放電セル内に配置される蛍光体層１２６と、放電セル内に充填される放電ガスとを備えるように構成した。【選択図】図２
2007184258.tif 000002
【特許請求の範囲】
【請求項１】
背面基板と、
前記背面基板と対向するように配置される前面基板と、
前記前面基板と前記背面基板との間に配置されて複数の放電セルを区画する隔壁と、
前記前面基板の前記背面基板と対向する面に、相互に離隔されて一方向に延長されて配置される複数の維持電極対と、
前記背面基板の前記前面基板と対向する面に、前記維持電極対と交差するように配置されるアドレス電極と、
前記背面基板側から前記前面基板の方向に傾斜する傾斜面をその側部に有する複数のグルーブが前記維持電極対が延長される方向に形成されて、前記傾斜面が前記前面基板に投影される位置に前記維持電極対の一端が位置するように、前記維持電極対を覆って配置される前面誘電体層と、
前記アドレス電極を覆うように配置される背面誘電体層と、
前記放電セル内に配置される蛍光体層と、
前記放電セル内に充填される放電ガスと、
を備えることを特徴とするプラズマディスプレイパネル。
【請求項２】
前記グルーブは、前記対をなす維持電極の間にそれぞれ形成されることを特徴とする請求項１に記載のプラズマディスプレイパネル。
【請求項３】
前記グルーブは、前記前面基板が露出されるように形成されることを特徴とする請求項１に記載のプラズマディスプレイパネル。
【請求項４】
前記グルーブは、前記複数の放電セルを横切るように延長されて配置されることを特徴とする請求項１に記載のプラズマディスプレイパネル。
【請求項５】
前記グルーブは、前記各放電セルに対応して形成され、相互に連続せずに形成されることを特徴とする請求項１に記載のプラズマディスプレイパネル。
【請求項６】
前記前面誘電体層及び前記グルーブを覆うように配置される保護層をさらに備えることを特徴とする請求項１に記載のプラズマディスプレイパネル。
【請求項７】
相互対向するように配置される前面基板及び背面基板と、
前記前面基板の前記背面基板と対向する面に、相互に離隔されて一方向に延長されて配置される維持電極対と、
前記背面基板側から前記前面基板の方向に傾斜する傾斜面をその側部に有して前記維持電極対が延長される方向に配置される複数のグルーブを備え、前記グルーブの傾斜面が前記前面基板に投影される位置に前記維持電極対の一端が位置するように前記グルーブが形成されて前記維持電極対を覆うように配置される前面誘電体層と、
を備えることを特徴とするプラズマディスプレイパネル。
【請求項８】
前記グルーブは、前記対をなす維持電極の間にそれぞれ形成されることを特徴とする請求項７に記載のプラズマディスプレイパネル。
【請求項９】
前記グルーブは、前記前面基板が露出されるように形成されることを特徴とする請求項７に記載のプラズマディスプレイパネル。
【請求項１０】
前記グルーブは、前記複数の放電セルを横切るように延長されて配置されることを特徴とする請求項７に記載のプラズマディスプレイパネル。
【請求項１１】
前記グルーブは、前記各放電セルに対応して形成され、相互に連続せずに形成されることを特徴とする請求項７に記載のプラズマディスプレイパネル。
【請求項１２】
前記前面誘電体層及び前記グルーブを覆うように配置される保護層をさらに備えることを特徴とする請求項７に記載のプラズマディスプレイパネル。
【発明の詳細な説明】
【技術分野】
【０００１】
本発明は、プラズマディスプレイパネルに関する。
【背景技術】
【０００２】
最近、従来の陰極線管ディスプレイ装置を代替するものとして、プラズマディスプレイパネルが注目を浴びている。プラズマディスプレイパネルは、複数個の電極が形成された２枚の基板の間に放電ガスが封入されており、上記電極に放電電圧を加えることにより発生する紫外線によって、所定のパターンに形成された蛍光体が励起されて所望の画像を得る平板表示パネルである。
【０００３】
図１は、従来の技術によるプラズマディスプレイパネルの内部構造を示す垂直断面図である。
【０００４】
一般的な交流型プラズマディスプレイパネル１０は、ユーザに対して画像が表示される側（前面側）に配される上板５０と、これと平行に結合される下板６０とを備える。上板５０の前面基板１１上には、Ｙ電極３１とＸ電極３２とが対を構成する放電維持電極対１２が配置される（例えば、特許文献１参照。）。
【０００５】
また、前面基板１１に対向する下板６０の背面基板２１上には、アドレス電極２２がＹ電極３１及びＸ電極３２と交差するように配置される。Ｙ電極３１とＸ電極３２のそれぞれは、透明電極３１ａ、３２ａ及びバス電極３１ｂ、３２ｂを備える。このように配置された一対のＹ電極３１及びＸ電極３２と、これと交差するアドレス電極２２とによってなる空間が、単位放電セルとして一つの放電部を形成する。そして、透明電極３１ａと３２ａの間で放電ギャップＧが形成されて放電を発生させることができる。
【０００６】
前面基板１１の面には、Ｙ電極３１及びＸ電極３２を埋め込むように前面誘電体層１５が形成される。また、背面基板２１の面には、アドレス電極２２を埋め込むように背面誘電体層２５が形成される。前面誘電体層１５の上には、一般的に、ＭｇＯからなる保護層１６が形成される。また、背面誘電体層２５の前面側には、放電距離を維持し、放電セル間の電気的及び光学的クロストークを防止する隔壁３０が形成される。隔壁３０の両側面及び、隔壁３０が形成されていない背面誘電体層２５の前面側には、蛍光体層２６が塗布される。
【０００７】
【特許文献１】大韓民国特許公開第１９９８−７０８３８号
【発明の開示】
【発明が解決しようとする課題】
【０００８】
上記のようなプラズマディスプレイパネルでは、パネルの前面に入射される光によってパネル前面から反射される反射光が発生する。そして、このようなパネル前面にて観測される反射光による輝度によって、明室コントラスト（外光を受けたときのコントラスト）が低下する恐れがあるといった問題があった。
【０００９】
そこで、本発明は、このような問題に鑑みてなされたもので、本発明の目的とするところは、パネル前面にて観測される反射光による輝度を減少させて、明室コントラストを向上させることができるプラズマディスプレイパネルを提供することにある。
【課題を解決するための手段】
【００１０】
上記課題を解決するために、本発明のある観点によれば、背面基板と；上記背面基板と対向するように配置される前面基板と；上記前面基板と上記背面基板との間に配置されて複数の放電セルを区画する隔壁と、上記前面基板の上記背面基板と対向する面に、相互に離隔されて一方向に延長されて配置される複数の維持電極対と；上記背面基板の上記前面基板と対向する面に、上記維持電極対と交差するように配置されるアドレス電極と；上記背面基板側から上記前面基板の方向に傾斜する傾斜面をその側部に有する複数のグルーブが上記維持電極対が延長される方向に形成されて、上記傾斜面が上記前面基板に投影される位置に上記維持電極対の一端が位置するように、上記維持電極対を覆って配置される前面誘電体層と；上記アドレス電極を覆うように配置される背面誘電体層と；上記放電セル内に配置される蛍光体層と；上記放電セル内に充填される放電ガスと；を備えることを特徴とするプラズマディスプレイパネルが提供される。
【００１１】
このような本発明にかかるプラズマディスプレイパネルによれば、パネル前面で観測される反射輝度を低減させることができるので、明室コントラストを向上させることができる。上記のように、維持電極対を覆う誘電体層には、維持電極が配置される方向に複数のグルーブ（溝または窪み）が形成される。上記グルーブはその側部に傾斜面を有する。すなわち、上記グルーブは、放電空間側が開口された溝または窪みであり、その側部が傾斜面となるように形成される。そして、上記傾斜面では入射される光が散乱されるため、上記傾斜面が投影される領域は、その他の領域よりも暗くなる。ここで、上記傾斜面が投影される領域とは、背面基板側からの前面基板の面に対して垂直な投影によって形成される傾斜面の影を指す。このような傾斜面が投影される暗い領域（黒部）が、維持電極対の一端に位置するように、傾斜面の位置、大きさ、傾きなどを調節してグルーブを形成すると、パネル前面で観測される反射輝度を低減させることができる。その結果、プラズマディスプレイパネルの明室コントラストを向上させることができる。
【００１２】
上記グルーブは、上記対をなす維持電極の間にそれぞれ形成されるのがよい。すなわち、上記グルーブは、上記前面誘電体層の、放電ギャップを形成するように対をなして設けられる維持電極の間の領域に形成されることができる。
【００１３】
また、上記グルーブは、上記前面誘電体層に形成されるが、上記前面基板が露出されるように形成されるのがよい。すなわち、上記グルーブは、上記前面誘電体層に溝または窪みのように形成されるが、上記グルーブの底面が上記前面基板まで到達する深さに形成されることができる。
【００１４】
上記グルーブは、上記複数の放電セルを横切るように延長されて配置されることができる。すなわち、上記グルーブは、上記維持電極対と同じ方向に延びる溝として形成されることができる。あるいは、上記グルーブは、上記各放電セルに対応して形成されて相互に連続せずに形成されてもよい。すなわち、上記グルーブは、上記各放電セルに対応した窪みのように形成されることができる。
【００１５】
上記プラズマディスプレイパネルは、上記前面誘電体層及び上記グルーブを覆うように配置される保護層をさらに備えることができる。
【００１６】
上記課題を解決するために、本発明の別の観点によれば、相互対向するように配置される前面基板及び背面基板と；上記前面基板の上記背面基板と対向する面に、相互に離隔されて一方向に延長されて配置される維持電極対と；上記背面基板側から上記前面基板の方向に傾斜する傾斜面をその側部に有して上記維持電極対が延長される方向に配置される複数のグルーブを備え、上記グルーブの傾斜面が上記前面基板に投影される位置に上記維持電極対の一端が位置するように上記グルーブが形成されて上記維持電極対を覆うように配置される前面誘電体層と；を備えることを特徴とするプラズマディスプレイパネルが提供される。
【００１７】
このような本発明にかかるプラズマディスプレイパネルによれば、パネル前面で観測される反射輝度を低減させることができるので、明室コントラストを向上させることができる。上記のように、維持電極対を覆う誘電体層には、維持電極が配置される方向に複数のグルーブ（溝または窪み）が形成される。上記グルーブはその側部に傾斜面を有する。すなわち、上記グルーブは、背面基板側が開口された溝または窪みであり、その側部が傾斜面となるように形成される。そして、上記傾斜面では入射される光が散乱されるため、上記傾斜面が投影される領域は、その他の領域よりも暗くなる。ここで、上記傾斜面が投影される領域とは、背面基板側からの前面基板の面に対して垂直な投影によって形成される傾斜面の影を指す。このような傾斜面が投影される暗い領域（黒部）が、維持電極対の一端に位置するように、傾斜面の位置、大きさ、傾きなどを調節してグルーブを形成すると、パネル前面で観測される反射輝度を低減させることができる。その結果、プラズマディスプレイパネルの明室コントラストを向上させることができる。
【００１８】
上記グルーブは、上記対をなす維持電極の間にそれぞれ形成されるのがよい。また、上記グルーブは、上記前面基板が露出されるように形成されるのがよい。
【００１９】
上記グルーブは、上記複数の放電セルを横切るように延長されて配置されることもできるし、あるいは、上記各放電セルに対応して形成され、相互に連続せずに形成されてもよい。
【００２０】
上記プラズマディスプレイパネルは、上記前面誘電体層及び上記グルーブを覆うように配置される保護層をさらに備えることができる。
【発明の効果】
【００２１】
以上説明したように本発明によれば、パネル前面の黒部（ｂｌａｃｋ  ｐａｒｔ）の比率を向上させることにより、パネル前面で観測される反射輝度を低減させ、明室コントラストを向上させることができる。上記パネル前面の黒部の比率は、放電電極間の領域の構造及び、上記構造と放電電極との位置関係によって調節することができる。例えば、前面基板の放電空間側の面にリッジ型（尾根形状）のグルーブ（溝または窪み）を形成したパネル構造にすれば、上記グルーブの傾斜面が投影される領域では光が散乱されて当該領域は暗くなる。そして、上記リッジの斜線部内に、放電電極の放電ギャップ側の端が位置するように傾斜面を拡張してリッジを形成すれば、パネル前面の黒部比率を向上させることができる。このようにして、パネル前面で観測される反射輝度を低減させて明室コントラストを向上させることができる。
【発明を実施するための最良の形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
図２は、本発明の実施の形態にかかるプラズマディスプレイパネルを示す分離斜視図である。図３は、図２の分離表示されたプラズマディスプレイパネルが結合された状態におけるＩＩＩ−ＩＩＩ線に沿って取った断面図である。図４は、図３のＡ部分を拡大した拡大断面図である。
【００２４】
図２を参照すれば、プラズマディスプレイパネル１００は、上板１５０と、上板１５０と平行に結合される下板１６０とを備える。上板１５０は、前面基板１１１、前面誘電体層１１５、維持電極対１１２及び、保護層１１６を備える。また、下板１６０は、背面基板１２１、アドレス電極１２２、背面誘電体層１２５、隔壁１３０及び、蛍光体１２６を備える。
【００２５】
前面基板１１１と背面基板１２１は、相互に所定の距離だけ離隔されて配置され、それらの間に放電が発生する放電空間を限定する。このような前面基板１１１及び背面基板１２１は、可視光の透過率に優れたガラスなどを用いて形成されるのがよい。一方、明室コントラストを向上させるために、前面基板１１１及び／または背面基板１２１は、着色されていてもよい。
【００２６】
前面基板１１１と背面基板１２１との間には、隔壁１３０が配置される。隔壁１３０は、製造工程に応じて、例えば、背面誘電体層１２５上に形成されることができる。このような隔壁１３０は、放電空間を複数個の放電セル１８０に区画し、各放電セル１８０の間で光学的クロストーク及び電気的クロストークが発生するのを防止する役割を果たす。図２には、隔壁１３０が、四角形の横断面を有してマトリックス状に配列された放電セルを区画するように形成されているが、隔壁１３０の形体は、かかる形態に限定されるものではない。すなわち、隔壁１３０は、放電セル１８０が三角形、五角形などの多角形、円形、楕円形などの横断面を有するように形成されてもよい。また、隔壁１３０は、ストライプ形体などのような開放型の形体に形成されてもよい。あるいは、隔壁１３０は、放電セル１８０をワッフルまたはデルタ配列に区画するように形成されてもよい。
【００２７】
背面基板１２１に対向する前面基板１１１上には、維持電極対１１２が配設される。各維持電極対１１２は、維持放電を起こすために前面基板１１１の背面（背面基板１２１が配される側）に形成された一対の維持電極１３１、１３２からなることができる。前面基板１１１上には、このような維持電極対１１２が相互に所定の距離だけ離隔されて平行に配列される。維持電極対１１２のうちの一方の維持電極は、Ｘ電極１３１であって、共通電極として作用する。また、維持電極対１１２のうちの他方の維持電極は、Ｙ電極１３２であって、走査電極として作用する。本発明の実施の形態においては、維持電極対１１２は前面基板１１１上（前面基板１１１の表面）に配置されているが、維持電極対１１２の配置位置は、かかる形態に限定されるものではない。例えば、維持電極対１１２は、前面基板１１１に対して、背面基板１２１側に所定の距離だけ離隔されて配置されることもできる。
【００２８】
Ｘ電極１３１及びＹ電極１３２は、それぞれ、透明電極１３１ａ、１３２ａ及びバス電極１３１ｂ、１３２ｂを備える。透明電極１３１ａ、１３２ａは、放電を起こすことができる導電体でありながら、蛍光体１２６から放出される光が前面基板１１１を通じて放出されることを妨害しない透明な材料で形成される。このような材料としては、例えば、ＩＴＯ（酸化インジウム錫）などが挙げられる。しかしながら、上記ＩＴＯのような透明な導電体は、一般的にはその抵抗が大きい。従って、このような抵抗が大きい透明電極のみを用いて維持電極を形成すると、維持電極の長手方向における電圧降下が大きくなってしまい、パネルの駆動電力が大きくなり、また、応答速度も遅くなる。よって、このような問題点を改善するために、透明電極１３１ａ、１３２ａ上には、金属材質からなり、狭い幅に形成されるバス電極１３１ｂ、１３２ｂがそれぞれ配置される。バス電極１３１ｂ、１３２ｂは、Ａｇ、ＡｌまたはＣｕのような金属を用いて単層構造に形成されることができる。あるいは、バス電極１３１ｂ、１３２ｂは、Ｃｒ／Ａｌ／Ｃｒなどからなる多層構造に形成されてもよい。このような透明電極１３１ａ、１３２ａ及びバス電極１３１ｂ、１３２ｂは、フォトエッチング法、フォトリソグラフィ法などを用いて形成することができる。
【００２９】
Ｘ電極１３１及びＹ電極１３２の形状及び配置について、以下により詳細に説明する。バス電極１３１ｂ、１３２ｂは、各単位放電セル１８０において相互に所定の距離だけ離隔されて平行に配置され、複数の放電セル１８０を横切るように延長形成される。前述したように、各バス電極１３１ｂ、１３２ｂには、透明電極１３１ａ、１３２ａが電気的に接続されるが、四角形の透明電極１３１ａ、１３２ａは、単位放電セル１８０毎に不連続的に配置されることができる。このような透明電極１３１ａ、１３２ａは、その一側においてバス電極１３１ｂ、１３２ｂに連結され、その他側は放電セル１８０の中心方向に向かうように配置されることができる。すなわち、透明電極１３１ａ、１３２ａの上記それぞれの他側の間で放電ギャップが形成される。
【００３０】
前面基板１１１上には、維持電極対１１２を埋め込むように前面誘電体層１１５が形成される。前面誘電体層１１５は、隣接するＸ電極１３１とＹ電極１３２とが相互に通電されることを防止すると同時に、荷電粒子または電子がＸ電極１３１及びＹ電極１３２に直接衝突してＸ電極１３１及びＹ電極１３２が損傷されることを防止する役割を果たす。また、前面誘電体層１１５は、電荷を誘導するように機能する。このような前面誘電体層１１５は、例えば、ＰｂＯ、Ｂ２Ｏ３、ＳｉＯ２などを用いて形成されることができる。
【００３１】
前面誘電体層１１５には、複数のグルーブ（溝）１９０が形成される。複数のグルーブ１９０は、維持電極対１１２を覆う前面誘電体層１１５に、維持電極対１１２が配置される方向に形成されることができる。このとき、グルーブ１９０は、維持電極対１１２が延長される方向と同じ方向に延びる連続した一つの溝として形成されることもできるし、または、維持電極対１１２が延長される方向に配列される複数の溝として形成されることもできる。
【００３２】
上記のように維持電極対１１２が配置される方向に形成されるグルーブ１９０は、対をなすＸ電極１３１とＹ電極１３２との間に位置するように形成されるのがよい。
【００３３】
また、グルーブ１９０は、背面基板１２１側から前面基板１１１方向に傾斜面１９１を有するように形成されるのがよい。すなわち、グルーブ１９０は、前面誘電体層１１５の放電空間側から所定の深さに形成される溝（窪んだ部分）であり、開口部（放電空間側）が底面部（前面基板１１側）よりも大きく、溝の側部が傾斜面１９１をなすように形成されることができる。このとき、傾斜面１９１が前面基板１１１に投影される位置（領域）に維持電極対１１２の一端１９２が位置するように、グルーブ１９０が形成配置されるのがよい。ここで、傾斜面１９１が投影される領域とは、背面基板１２１側からの前面基板１１１の面に対して垂直な投影によって形成される傾斜面１９１の影であることができる。すなわち、グルーブ１９０は、放電セルからの光によりその傾斜面１９１が維持電極対１１２の一端１９２に影を映すように形成されるのがよい。ここで、維持電極対１１２の一端１９２は、対をなすＸ電極１３１及びＹ電極１３２のそれぞれの放電ギャップ側の端部であることができる。例えば、図３に示されたプラズマディスプレイパネルを例にとって説明すると、グルーブ１９０は、維持電極対１１２の透明電極１３１ａ、１３２ａの相互に対向するそれぞれの端部１９２に、左右の傾斜面１９１がそれぞれ投影されるように形成されている。
【００３４】
図３に示されたように、リッジ構造（尾根状の形状）を有するように前面誘電体層１１５が形成される場合、傾斜面１９１によって形成される図３の点線で囲まれた斜線部Ｂは、放電セルが発光すると光が散乱されて暗く示される。従って、このような特性を考慮して、斜線部の幅を調節することにより、黒く示される黒部を拡大または縮小させることができる。すなわち、傾斜面１９１の位置、傾き、長さ、幅などを調整することにより、傾斜面１９１により前面基板１１１に投影される影の大きさを拡大または縮小させたり、影の位置を変化させることができる。従って、このようにして上記黒く示される黒部を拡大させれば、パネル前面で観測される反射輝度を低下させて、明室コントラストを向上させることができる。
【００３５】
このとき、上記黒部の比率を最大化するために、図４に示すように維持電極対１１２のグルーブ１９０に近い方向に位置する部分、すなわち放電ギャップ側の電極の端部１９２が、より多くリッジの斜線部Ｂ内に位置するように傾斜面１９１を拡張させてグルーブ１９０を形成するようにするのがよい。またこの場合、図４に示すように、維持電極１３２ａの端部から傾斜面１９１までの距離１９３は十分に確保されているため、耐電圧が低下するといった問題や、電極が露出されるなどといった問題は防止することができる。
【００３６】
上述したように、グルーブ１９０は前面誘電体層１１５に形成され、特に対をなすＸ電極１３１とＹ電極１３２との間に形成されることができる。このとき、グルーブ１９０は、前面誘電体層１１５に所定の深さに形成されるが、その深さは、プラズマ放電による前面誘電体層１１５が破損される可能性、壁電荷の配置、放電電圧の大きさなどを考慮して決定される。例えば、図２〜図４に示した本発明の実施の形態のように、グルーブ１９０は、前面基板１１１が露出されるように深く形成されることができる。あるいは、図５に示した本発明の実施の形態の変更例のように、グルーブ２８０を浅く形成して、前面基板２１１上のグルーブ２８０が形成される領域にも前面誘電体層２１５が形成されるようにしてもよい。
【００３７】
図２及び図３を参照すれば、各放電セル１８０には１個のグルーブ１９０が対応するように形成されている。しかし、本発明はこれに限定されず、各放電セル１８０毎に複数個のグルーブ１９０が対応するように形成されてもよい。また、各放電セル１８０毎に同一の数のグルーブ１９０が対応する必要はない。例えば、赤色発光放電セル、緑色発光放電セル、青色発光放電セルに、相異なる個数のグルーブ１９０がそれぞれ形成されるようにしてもよい。
【００３８】
本発明の実施の形態において、グルーブ１９０は実質的に台形の横断面を有するように形成されているが、グルーブ１９０の形状はこれに限定されず、多様な形状に形成することができる。
【００３９】
このようなグルーブ１９０を形成することより、前面誘電体層１１５の厚さは薄くなるため、前方への可視光透過率は向上される。また、対をなす維持電極の間にグルーブ１９０が形成されると、放電がさらに容易になり、それにより表示される画像の輝度も向上される。
【００４０】
図２を参照すれば、グルーブ１９０がＸ電極１３１とＹ電極１３２との間に放電セル１８０を横切って延長されるように形成されている。この場合、グルーブ１９０は、プラズマディスプレイパネルの製造における排気工程時には、放電空間に充填されている不純ガスの排気路を提供することができる。また、封入工程時には、放電ガスの流入路を提供することができる。
【００４１】
しかし、グルーブ１９０は、図２のように放電セル１８０を横切って形成されなくてもよく、相互に連続されていない窪みとして形成されることもできる。例えば、図５に示した本発明の実施の形態の変更例によるプラズマディスプレイパネルのように、前面誘電体層２１５に形成されるグルーブ２９０は、放電セル２８０を単位として不連続的に形成されることができる。
【００４２】
前面誘電体層１１５とグルーブ１９０上には、これらを覆うように保護層１１６が形成されるのがよい。この時、実施形態によっては、前面基板１１１上に保護層１１６が形成されないこともある。例えば、前面基板１１１が露出されるようにグルーブ１９０が形成される実施形態においては、保護層１１６が形成されない場合もある。
【００４３】
すなわち、プラズマディスプレイパネル１００は、前面誘電体層１１５を覆う保護層１１６をさらに備えることができる。保護層１１６は、放電時に荷電粒子及び電子が前面誘電体層１１５に衝突して前面誘電体層１１５が損傷されることを防止する役割を果たす。
【００４４】
また、保護層１１６は、放電時に２次電子を多量に放出して、プラズマ放電を円滑にすることができる。このような機能を有する保護層１１６は、２次電子の放出係数が高く、可視光の透過率が高い物質を用いて形成されるのがよい。保護層１１６は、前面誘電体層１１５が形成された後に、主にスパッタリング法、電子ビーム蒸着法などにより薄膜に形成される。
【００４５】
前面基板１１１に対向する背面基板１２１上には、アドレス電極１２２が配置される。アドレス電極１２２は、Ｘ電極１３１及びＹ電極１３２と交差するように放電セル１８０を横切って延長される。
【００４６】
アドレス電極１２２は、Ｘ電極１３１とＹ電極１３２の間の維持放電をより容易にするためのアドレス放電を起こすために設けられる電極であって、より具体的には、維持放電を発生させるために電圧を低める役割を果たす。アドレス放電は、Ｙ電極１３２とアドレス電極１２２との間に起こる放電であって、アドレス放電が終了した段階において、Ｙ電極１３２側及びＸ電極１３１側には壁電荷が蓄積される。かかる壁電荷の蓄積により、Ｘ電極１３１とＹ電極１３２との間の維持放電がより容易になる。
【００４７】
上記のように配置された一対のＸ電極１３１及びＹ電極１３２と、これと交差するアドレス電極１２２とによってなる空間が単位放電セル１８０を形成する。
【００４８】
背面基板１２１上には、アドレス電極１２２を埋め込むように背面誘電体層１２５が形成される。背面誘電体層１２５は、放電時に荷電粒子または電子がアドレス電極１２２に衝突してアドレス電極１２２を損傷させることを防止しながらも、電荷を誘導できる誘電体として形成される。このような誘電体としては、例えば、ＰｂＯ、Ｂ２Ｏ３、ＳｉＯ２などが挙げられる。
【００４９】
背面誘電体層１２５上に形成された隔壁１３０の両側面と、隔壁１３０が形成されない背面誘電体層１２５の全面とには、蛍光体層１２６が配置される。蛍光体層１２６は、赤色発光、緑色発光、青色発光の蛍光体層であることができる。蛍光体層１２６は、紫外線を受けて可視光線を発生する成分を有する。例えば、赤色発光放電セルに形成された蛍光体層は、Ｙ（Ｖ，Ｐ）Ｏ４：Ｅｕなどのような蛍光体を含み、緑色発光放電セルに形成された蛍光体層は、Ｚｎ２ＳｉＯ４：Ｍｎ、ＹＢＯ３：Ｔｂなどのような蛍光体を含み、青色発光放電セルに形成された蛍光体層は、ＢＡＭ：Ｅｕなどのような蛍光体を含むことができる。
【００５０】
また、放電セル１８０には、ネオン（Ｎｅ）、キセノン（Ｘｅ）などが混合された放電ガスが充填される。そして、上記のように放電ガスが充填された状態で、前面基板１１１及び背面基板１２１の縁部に形成されたフリットガラスのような密封部材によって、前面基板１１１と背面基板１２１とが互いに封合されて結合される。
【００５１】
放電セル１８０にて維持放電が発生する際には、励起された放電ガスのエネルギー準位が低くなりながら紫外線が放出される。そして、この紫外線が放電セル１８０内に塗布された蛍光体１２６を励起させ、この励起された蛍光体１２６のエネルギー準位が低くなりながら可視光が放出される。このようにして放出される可視光が、前面誘電層１１５と前面基板１１１を透過して出射されながら、ユーザが認識できる画像を形成する。
【００５２】
次に、本発明の実施の形態の変更例によるプラズマディスプレイパネルについて説明する。図５は、本発明の実施の形態の変更例によるプラズマディスプレイパネルの上板を示す部分斜視図である。図６は、図５に示したプラズマディスプレイパネルのＶＩ−ＶＩ線に沿って切り取った断面図である。図７は、図６のＢ部分を拡大した拡大断面図である。
【００５３】
図５〜図７を参照すると、本発明の実施の形態の変更例によるプラズマディスプレイパネルは、図２〜図４に示した本発明の実施の形態によるプラズマディスプレイパネルパネルと、以下に説明する部分以外は同一の構成を有する。従って、同一の機能を有する構成要素については、類似した符号を付するものとし、それらについての詳細な説明は省略する。
【００５４】
図５には、本発明の実施の形態の変更例によるプラズマディスプレイパネルの上板２５０が示されている。図示されたように、本発明の実施の形態の変更例によるプラズマディスプレイパネルに形成されるグルーブ２９０は、放電セル２８０を単位として不連続的に形成される。下板は、図２に示されている下板１６０と同一の下板が適用され、その細部の構成要素については、同一の符号を使用する。
【００５５】
本発明の実施の形態の変更例によるプラズマディスプレイパネル２００は、背面基板１２１と、背面基板１２１に対向するように配置される前面基板２１１と、前面基板２１１と背面基板１１１との間に配置されて複数個の放電セル２８０を区画する隔壁１３０と、前面基板２１１の背面基板１２１と対向する面に相互に離隔されて一方向に延長されるように配置される維持電極対２１２と、維持電極対２１２と交差するように背面基板１２１の前面基板２１１と対向する面に配置されるアドレス電極１２２と、維持電極対２１２を覆うように配置される前面誘電体層２１５と、アドレス１２２電極を覆うように配置される背面誘電体層１２５と、放電セル内に配置される蛍光体層１２６と、放電セル２８０内に充填される放電ガスとを備える。前面誘電体層２１５には、維持電極対２１２の間に配置され、背面基板１２１から前面基板２１１の方向に傾斜面２９１を有するように、維持電極対２１２が配置される方向にグルーブ２９０が形成される。グルーブ２９０は、維持電極対２１２の一端２９２が傾斜面２９１が前面基板２１１に投影される位置に来るように配置される。この時、前面誘電体層２１５に形成されたグルーブ２９０は、放電セル２８０を単位として不連続的に形成される。前面誘電体層２１５上には、保護層２１６が形成されるのがよい。
【００５６】
上記のような構造を有するプラズマディスプレイパネル２００において、各維持電極対２１２は、対をなす維持電極２３１、２３２を意味する。維持電極対２１２のうち、一方の維持電極はＸ電極２３１であって、共通電極として作用し、他方の維持電極はＹ電極２３２であって、走査電極として作用する。
【００５７】
Ｘ電極２３１及びＹ電極２３２のそれぞれは、透明電極２３１ａ、２３２ａ及びバス電極２３１ｂ、２３２ｂを備える。
【００５８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５９】
本発明は、プラズマディスプレイパネルに適用可能である。
【図面の簡単な説明】
【００６０】
【図１】従来の技術によるプラズマディスプレイパネルの内部構造を示す垂直断面図である。
【図２】本発明の実施の形態にかかるプラズマディスプレイパネルを示す分離斜視図である。
【図３】図２に示したプラズマディスプレイパネルのＩＩＩ−ＩＩＩ線に沿って切り取った断面図である。
【図４】図３のＡ部分を拡大した拡大断面図である。
【図５】本発明の実施の形態の変更例によるプラズマディスプレイパネルの上板を示す部分斜視図である。
【図６】図５に示したプラズマディスプレイパネルのＶＩ−ＶＩ線に沿って切り取った断面図である。
【図７】図６のＢ部分を拡大した拡大断面図である。
【符号の説明】
【００６１】
１００      プラズマディスプレイパネル
１１１、２１１    前面基板
１１２、２１２    維持電極対
１１５、２１５    前面誘電体層
１１６、２１６    保護層
１２１      背面基板
１２２      アドレス電極
１２５      背面誘電体層
１２６      蛍光体層
１３０      隔壁
１３１、２３１    維持電極（Ｘ電極）
１３２、２３２    維持電極（Ｙ電極）
１３１ａ、１３２ａ、２３１ａ、２３２ａ  透明電極
１３１ｂ、１３２ｂ、２３１ｂ、２３２ｂ  バス電極
１５０、２５０    上板
１６０      下板
１８０、２８０    放電セル
１９０、２９０    グルーブ
１９１、２９１    傾斜面
１９３、２９３    維持電極端部から傾斜面までの距離
Ｂ          斜線部（傾斜面の投影）
【図１】
2007184258.tif 000003
【図２】
2007184258.tif 000004
【図３】
2007184258.tif 000005
【図４】
2007184258.tif 000006
【図５】
2007184258.tif 000007
【図６】
2007184258.tif 000008
【図７】
2007184258.tif 000009